(57)【特許請求の範囲】
【請求項１】
本体の前面に前傾扉を備える筐体内に、ノズルを具備するホースと、該ホースを収納する前記本体に設けられたホース収納部と、該ノズルへ消火水の供給を開始するための消火栓弁と、該消火栓弁の開閉、および該消火栓弁に消火水を供給するためのポンプの起動を行うための遠隔起動手段を備える消火栓装置において、
前記遠隔起動手段は、
前記消火栓弁近傍に設けられ、前記消火栓弁の開閉を行うための弁体と連動する連動プーリを有する受動部と、
前記前傾扉の内面に設けられ、該前傾扉の平行面で操作される開閉レバーと、該開閉レバーの操作に連動し、前記平行面に回動する対向プーリと、を有し、前記前傾扉を閉じた状態で前記ホース収納部の前面に対向する位置に設けられた開閉レバー部と、
前記対向プーリと前記連動プーリとの間に張設され、前記対向プーリの動きに前記連動プーリを連動させることによって、前記開閉レバーの操作に前記消火栓弁の弁体の開閉を連動させるためのワイヤと、
ポンプ起動用の信号線に接続され、前記ポンプの起動を行うためのポンプ起動連動スイッチと、を備え、
前記ポンプ起動連動スイッチは、前記連動プーリの動きに連動してオンするように、前記受動部側に設けられる
ことを特徴とする消火栓装置。
【請求項２】
前記連動プーリは、側面には前記ワイヤ用の張設溝と、該張設溝と干渉しないようにその側面高さ方向で相違する箇所に前記ポンプ起動スイッチの接点をオン、オフさせるための接点溝が設けられ、
前記ポンプ起動連動スイッチは、常時は前記接点が前記接点溝内に入っていることで前記接点はオフであり、前記連動プーリの回動とともに、前記接点が前記接点溝外に出ることにより、前記接点がオンになる
ことを特徴とする請求項１記載の消火栓装置。
【発明の詳細な説明】
【技術分野】
【０００１】
この発明は、消火栓装置に関し、とくにトンネル向けの消火栓装置に関する。
【背景技術】
【０００２】
従来のトンネル向け消火栓装置として、前傾式の前傾扉（以下、「前傾扉」という）を備えた消火栓装置が知られている。この前傾式の消火栓装置は、前面に前傾扉を備える筐体内に、ノズルを具備するホースと、該ノズルへ消火水の供給を開始するための消火栓弁と、該消火栓弁の開閉、および該消火栓弁に消火水を供給するためのポンプの起動を行うための遠隔起動手段を備える（例えば、特許文献１参照）。
【０００３】
遠隔起動手段として、消火栓弁の開閉を行うための弁体と連動する連動プーリが消火栓弁近傍に設けられる。開閉レバーと、該開閉レバーの操作に連動する対向プーリと、を有する開閉レバー部が、前傾扉の内面に設けられる。対向プーリと連動プーリとの間に、ワイヤが張設される。また、ポンプの起動を行うためのポンプ起動連動スイッチが、対向プーリの動きに連動してオンするように、開閉レバー部側に設けられる。ポンプ起動連動スイッチは、ポンプ起動用の信号線が接続され、このポンプ起動用の信号線は、筐体内を経由して、筐体外に配置されるポンプに接続される。
【０００４】
火災の発生時には、操作者は、前傾扉を手前に開放させて、開閉レバーを操作する。すると、開閉レバーの操作により対向プーリが連動するので、ポンプ起動連動スイッチがオンし、ポンプ起動用の信号線にオン信号が出力され、ポンプが起動する。これにより、消火栓弁の一次側に消火水が供給される。また、対向プーリの動きにワイヤが連動することにより、連動プーリも連動して動く。そして、連動プーリの動きに連動して消火栓弁の弁体が開放するので、消火水が二次側のホースに供給される。そのため、操作者は、ノズル付きホースを引き出し、放水を行って、消火活動が行える。
【先行技術文献】
【特許文献】
【０００５】
【特許文献１】特開２００１−５７１号公報
【発明の概要】
【発明が解決しようとする課題】
【０００６】
従来の前傾式の消火栓装置は、前傾扉の内面に開閉レバーを配置しているので、火災の発生時には、操作者は、前傾扉を開放した後に開閉レバーを操作しやすく、消火活動が煩雑とならずに行えるものである。
【０００７】
しかしながら、ポンプ起動連動スイッチが前傾扉の内面に配置されることにより、ワイヤ、およびポンプ起動用の信号線は、前傾扉の内面を下側方向に通過して筐体内に導入され、ワイヤは連動プーリに張設され、ポンプ起動用の信号線は、筐体内の端子箱（図示せず）を経由してポンプに接続される。
【０００８】
このように、ポンプ起動用の信号線は、前傾扉という可動部上、および外部に露出する箇所に配設されているので、断線や短絡などが生じて、火災時に消火栓装置が正常に起動しないことが考えられる。なお、ワイヤは、ポンプ起動用の信号線よりも機械的な強度が強く、また電気的な信号線ではないので、前傾扉の内面に配設されていても問題とはならない。
【０００９】
この発明は、操作性を維持しつつ、火災時に確実に起動することができるようにすることを目的とするものである。
【課題を解決するための手段】
【００１０】
この発明は、本体の前面に前傾扉を備える筐体内に、ノズルを具備するホースと、該ホースを収納する前記本体に設けられたホース収納部と、該ノズルへ消火水の供給を開始するための消火栓弁と、該消火栓弁の開閉、および該消火栓弁に消火水を供給するためのポンプの起動を行うための遠隔起動手段を備える消火栓装置において、前記遠隔起動手段は、前記消火栓弁近傍に設けられ、前記消火栓弁の開閉を行うための弁体と連動する連動プーリを有する受動部と、前記前傾扉の内面に設けられ、該前傾扉の平行面で操作される開閉レバーと、該開閉レバーの操作に連動し、前記平行面に回動する対向プーリと、を有し、前記前傾扉を閉じた状態で前記ホース収納部の前面に対向する位置に設けられた開閉レバー部と、前記対向プーリと前記連動プーリとの間に張設され、前記対向プーリの動きに前記連動プーリを連動させることによって、前記開閉レバーの操作に前記消火栓弁の弁体の開閉を連動させるためのワイヤと、ポンプ起動用の信号線に接続され、前記ポンプの起動を行うためのポンプ起動連動スイッチと、を備え、前記ポンプ起動連動スイッチは、前記連動プーリの動きに連動してオンするように、前記受動部側に設けられることを特徴とする。
【００１１】
また、前記連動プーリは、側面には前記ワイヤ用の張設溝と、該張設溝と干渉しないようにその側面高さ方向で相違する箇所に前記ポンプ起動スイッチの接点をオン、オフさせるための接点溝が設けられ、前記ポンプ起動連動スイッチは、常時は前記接点が前記接点溝内に入っていることで前記接点はオフであり、前記連動プーリの回動とともに、前記接点が前記接点溝外に出ることにより、前記接点がオンになることを特徴とする。
【発明の効果】
【００１２】
この発明は、前面に前傾扉を備える筐体内に、ノズルを具備するホースと、該ノズルへ消火水の供給を開始するための消火栓弁と、該消火栓弁の開閉、および該消火栓弁に消火水を供給するためのポンプの起動を行うための遠隔起動手段を備える消火栓装置において、前記遠隔起動手段は、前記消火栓弁近傍に設けられ、前記消火栓弁の開閉を行うための弁体と連動する連動プーリを有する受動部と、前記前傾扉の内面に設けられ、開閉レバーと、該開閉レバーの操作に連動する対向プーリと、を有する開閉レバー部と、前記対向プーリと前記連動プーリとの間に張設され、前記対向プーリの動きに前記連動プーリを連動させることによって、前記開閉レバーの操作に前記消火栓弁の弁体の開閉を連動させるためのワイヤと、ポンプ起動用の信号線に接続され、前記ポンプの起動を行うためのポンプ起動連動スイッチと、を備え、前記ポンプ起動連動スイッチは、前記連動プーリの動きに連動してオンするように、前記受動部側に設けられるものである。開閉レバー部を前傾扉の内面に設けるようにして操作性を維持しつつ、ポンプ起動連動スイッチを筐体内の受動部側に設けるようにして、ポンプ起動用の信号線を、前傾扉という可動部上、および外部に露出する箇所に配設しないようにしたので、断線や短絡などが生じなくなり、火災時に消火栓装置を確実に起動することができる。
【００１３】
また、前記開閉レバー部は、前記前傾扉の内面に対して、略平行面に回動するように前記対向プーリを配置するとともに、前記略平行面で操作されるように前記開閉レバーを配置したものである。このように前傾扉の内面に開閉レバー部が水平に配置されるものであるので、火災時にホースが引き出されたときに、ホースは、前傾扉の内面上、及び開閉レバー部の上を這いながら引き出されるので、開閉レバーに接触して開閉レバーが誤操作したり、開閉レバー部（特に、開閉レバー）に接触することによってホースが引き出されなくなるということがなくなるため、従来必要であったレバー保護バーを不要とすることができる。
【００１４】
特に、従来のように開閉レバー部側にポンプ起動連動スイッチが設けられていた場合、対向プーリは、ワイヤを張設するための張設溝、ポンプ起動連動スイッチの接点をオン、オフさせるための接点溝を互いに干渉しないようにするために、その側面の高さ方向で相違する箇所に設ける必要があり、側面の高さがある程度必要であったが、受動部側にポンプ起動連動スイッチを設けるようにしたので、対向プーリは、その側面に、ポンプ起動連動スイッチの接点用の接点溝を設ける必要がなく、ワイヤを張設するための張設溝を設けるだけで足りる。そのため、対向プーリの側面の高さを従来よりも低くすることができて、受動部の厚みを小さくすることができ、前記した開閉レバーの誤操作、ホースが引き出されないという不具合をより確実に解消することができる。このとき、開閉レバー部は、前傾扉の内側から突出しないものであると、より好適である。
【図面の簡単な説明】
【００１５】
【図１】この発明の実施の形態１を示す消火栓装置の正面図。
【図２】図１につき、前傾扉の開放状態での横断面図。
【図３】図１につき、前傾扉の開放状態での右側面図。
【図４】図１につき、遠隔起動手段を示す図であり、（ａ）は消火栓弁および受動部の正面図、（ｂ）は消火栓弁および受動部の一部破断側面図、（ｃ）は開閉レバー部の一部破断正面図。
【発明を実施するための形態】
【００１６】
実施の形態１
以下、本発明の一実施の形態について説明する。図において、実施の形態１の消火栓装置１は、ホースを備えている消火栓装置である。この消火栓装置１は、例えばトンネル内の車道に隣接する監査路上に設置されたり、トンネルの内壁に埋設されて設置されたりするものである。
【００１７】
消火栓装置１は、図１から図３に示すように、その本体１０の前面に前面パネル２１が設置されて筐体を形成し、その内部に、先端にノズル６０を具備するホース５と、ノズル６０へ消火水の供給を開始するための消火栓弁３と、消火栓弁３の開閉、および消火栓弁３に消火水を供給するためのポンプ１１の起動を行うための遠隔起動手段７０を備えている。
【００１８】
本体１０は、ホース格納部Ｃ、消火器格納部Ｌ、および配管系統格納部Ｒで構成され、ホース格納部Ｃ、消火器格納部Ｌ、および配管系統格納部Ｒそれぞれに対応して分割された箱体を有して、隣り合う箱体同士の端部をそれぞれボルト締めにより連結固定しているが、１つの箱体により構成してもよい。
【００１９】
ホース格納部Ｃ、消火器格納部Ｌ、および配管系統格納部Ｒの前方には、それぞれ開口部を有する枠状の前面パネル２１Ｃ、２１Ｌ、２１Ｒが取り付けられていて、その開口部を覆うように、扉体としての前傾扉１４、消火器扉２６、配管扉１５がそれぞれに設置されている。前面パネル２１Ｃ、２１Ｌ、２１Ｒは、それぞれ、ホース格納部用前面パネル２１Ｃ、消火器格納部用前面パネル２１Ｌ、配管系統格納部用前面パネル２１Ｒとして機能する。
【００２０】
また、消火器格納部用前面パネル２１Ｌの開口部には、消火器扉２６とともに電気機器取付板２８が取り付けられている。この電気機器取付板２８には、表示灯５５や非常用発信器５６、応答ランプ５７などが取り付けられる。なお、消火器扉２６の内側には、図示しない消火器を配置するための配置スペース２６Ｓがある。
【００２１】
ホース格納部Ｃには、そのホース５を内巻に収納するホース収納部としてのホースバケット１２が設けられている。ホースバケット１２は、ホース格納部Ｃの横幅全体を利用して、ホース５を右回りで内巻きに収納する。このホースバケット１２は、本体１０の内壁上面から内壁底面に至る如く設けられた２本の棒状体１２ａ，１２ａとその棒状体１２ａ，１２ａから本体１０の内壁背面に至る如く設けられた略Ｌ字状に屈曲した２枚の帯板１２ｂ，１２ｂとからなり、２本の棒状体１２ａの間に形成される中央開口部からホース５を引き出したり収容したりする。またこのホースバケット１２の帯板１２ｂ，１２ｂと筐体１０の内壁上面と内壁底面との間には隅部開口部が設けられて、ホースバケット１２内にホース５を整然と巻き付けて収容するのを容易に行うことができる。
【００２２】
ホース格納部用前面パネル２１Ｃの開口部には、上部に上側扉１３、下部に前傾扉１４が設けられていて、開口部の上縁と下縁にそれぞれ図示しないヒンジを介して上下に開閉自在に設けられている。前傾扉１４は断面略コ字状であり、上端に配置したハンドル４３を手前に引くことで、上側扉１３とのラッチによる係合が解除されて、約９０度、前傾するように開放動作し、これによって、ホースバケット１２のホース引き出し用の中央開口部よりホース５を引き出すことができる。そして、その状態で、上側扉１３を約９０度、跳ね上げるように開放動作することによって、ホースバケット１２の中央開口部の全体を外部に露出させた状態で、ホース５の収納作業を行うことができる。
【００２３】
配管系統格納部Ｒには、図示しない給水源に接続される消火水供給配管４が設けられている。消火水供給配管４は、ポンプ１１を介して、給水源からの消火水が供給される消火水供給口８が、基端側に設けられるとともに、その下流側に順次、消防隊用の給水栓７、消火栓弁３、自動調圧弁２を備えて、末端側がホース５に接続される。
【００２４】
つぎに、遠隔起動手段７０について説明する。遠隔起動手段７０は、消火栓弁３近傍に設けられた受動部８０と、前傾扉１４の内面に設けられた開閉レバー部９０と、受動部８と開閉レバー部９０との間に張設されたワイヤ１００と、ポンプ起動連動スイッチ１１ｂとを備えている。
【００２５】
開閉レバー部９０は、消火栓弁３の開閉を行うために操作される開閉レバー９１と開閉レバー９１の操作に連動する対向プーリ９２とを有する。ボックス９３内に対向プーリ９２が配置され、開閉レバー９１が、対向プーリ９２と結合されていて、対向プーリ９２の回転の中心と同軸で、開閉レバー９１が前後に回動するようになっている。そして、開閉レバー９１を手前に引くことによって、同時に対向プーリ９２が回転することになる。この対向プーリ９２には、詳細には図示しないが、側面に設けられたワイヤ１００用の張設溝９２ｂに、ワイヤ１００が掛けられているとともに、ワイヤ１００は対向プーリ９２に対して係合固定されている。他方、ワイヤ１００は両端を固定されたチューブ１０１内を通して受動部８０の連動プーリ８２に掛けられ、連動プーリ８２と対向プーリ９２との間に張設されている。このワイヤ１００は、図１、２に示されるように、露出した状態で、前傾扉１４の内面を下側方向に通過して筐体内に導入され、連動プーリ８２に張設されている。
【００２６】
受動部８０は、消火栓弁３の開閉を行うための弁体と連動する連動プーリ８２を有し、連動プーリ８２はボックス８３内に配置される。この連動プーリ８２は、詳細には図示しないが、対向プーリ９２と同様に、側面に設けられたワイヤ１００用の張設溝８２ｂに、ワイヤ１００が掛けられているとともに、ワイヤ１００と係合固定され、ワイヤ１００の移動と同じ量に連動プーリ８２が回動させられる。この連動プーリ８２の回動とともに、同軸で連動する消火栓弁３の弁体が消火栓弁３の開放動作を行うので、前傾扉１４を開放して、開閉レバー９１を手前に引くことで、消火栓弁３を開放することができる。このように、ワイヤ１００は、対向プーリ９２と連動プーリ８２との間に張設され、対向プーリ９２の動きに連動プーリ８２を連動させることによって、開閉レバー９１の操作に消火栓弁３の弁体の開閉を連動させることができる。
【００２７】
受動部８０は、連動プーリ８２の他に、ポンプ１１の起動を行うためのポンプ起動連動スイッチ１１ｂがボックス８３内に配置される。ポンプ起動連動スイッチ１１ｂは、ポンプ起動用の信号線１１ａに接続され、ポンプ起動用の信号線１１ａは、筐体内の端子箱（図示せず）を経由してポンプ１１に接続される。
【００２８】
ここで、連動プーリ８２の側面には、詳細には図示しないが、ワイヤ１００用の張設溝８２ｂの他に、ポンプ起動連動スイッチ１１ｂの接点１１ｃをオン、オフさせるための接点溝８２ａが設けられている。連動プーリ８２は、ワイヤ１００用の張設溝８２ｂと接点溝８２ａとを互いに干渉しないようにするために、その側面の高さ方向で相違する箇所に設けている。常時は、ポンプ起動連動スイッチ１１ｂの接点１１ｃが接点溝８２ａ内に入っていることにより、接点１１ｃはオフであるが、連動プーリ８２の回動とともに、ポンプ起動連動スイッチ１１ｂの接点１１ｃが接点溝８２ａ外に出ることにより、接点１１ｃはオンとなり、ポンプ起動用の信号線１１ａにオン信号を出力するので、前傾扉１４を開放して、開閉レバー９１を手前に引くことで、ポンプ１１を起動して、消火水を消火栓弁３の一次側まで供給することができる。このように、ポンプ起動連動スイッチ１１ｂは、連動プーリ８２の動きに連動してオンする。
【００２９】
上記のように、遠隔操作手段７０は、開閉レバー部９０を前傾扉１４の内面に設けるようにして操作性を維持しつつ、ポンプ起動用の信号線１１ａを、ポンプ起動連動スイッチ１１ｂを筐体内の受動部８０側に設けるようにして、前傾扉１４という可動部上、および外部に露出する箇所に配設しないようにしたので、断線や短絡などが生じなくなり、火災時に消火栓装置１を確実に起動することができる。
【００３０】
開閉レバー部９０についてさらに詳細に説明する。開閉レバー部９０は、前傾扉１４の内面に対して、略平行面に回動するように対向プーリ９２を配置するとともに、略平行面で操作されるように開閉レバー９１を配置したものである。このように前傾扉１４の内面に開閉レバー部９０が水平に配置されるものであるので、火災時にホース５が引き出されたときに、ホース５は、前傾扉１４の内面上、及び開閉レバー部９０の上を這いながら引き出されるので、開閉レバー９１に接触して開閉レバー９１が誤操作したり、開閉レバー部９０（特に、開閉レバー９１）に接触することによってホース５が引き出されなくなるということがなくなるため、従来必要であったレバー保護バーを不要とすることができる。
【００３１】
特に、従来のように開閉レバー部９０側にポンプ起動連動スイッチ１１ｂが設けられていた場合、対向プーリ９２は、ワイヤ１００を張設するための張設溝８２ｂ、ポンプ起動連動スイッチ１１ｂの接点１１ｃをオン、オフさせるための接点溝を互いに干渉しないようにするために、その側面の高さ方向で相違する箇所に設ける必要があり、側面の高さがある程度必要であったが、受動部８０側にポンプ起動連動スイッチ１１ｂを設けるようにしたので、対向プーリ９２は、その側面に、ポンプ起動連動スイッチ１１ｂの接点１１ｃ用の接点溝を設ける必要がなく、ワイヤ１００を張設するための張設溝９２ｂを設けるだけで足りる。そのため、対向プーリ９２の側面の高さを従来よりも低くすることができて、受動部８０の厚みを小さくすることができ、前記した開閉レバー９１の誤操作、ホース５が引き出されないという不具合をより確実に解消することができる。特に、図３に示されるように、開閉レバー部９０は、前傾扉１４の内側（厚み）から突出しないものであり、より好適である。
【００３２】
なお、消火栓弁３は、その一次側フランジ部が給水栓７のフランジ部とボルトにより締結固定され、また、その二次側フランジ部が自動調圧弁２のフランジ部とボルトにより締結固定されているので、交換しやすい。また、ワイヤ１００は、前傾扉１４の内面に、露出した状態で配線されている。そのため、遠隔起動手段７０としての開閉レバー部９０、受動部８０（消火栓弁３込み）、ワイヤ１００を、セットで交換がしやすい。
【００３３】
前傾扉１４の内面側には、図２に示されるように、ホース５が挿通されるホースガイド１７、消火栓弁３の開閉レバー部９０、図示しないノズルホルダが設けられて、このノズルホルダによってノズル６０が保持されている。
【００３４】
ノズル６０は、内面の略中央に設けられたホースガイド１７を挿通したホース５の先端に設けられ、図２に示されるように、前傾扉１４を開放した状態で、前傾扉１４の幅方向に対して非平行状態で、かつ先端部が前記前傾扉１４の上部側を向くように配置されており、図２の場合は、上部左側方向を向くようにして、前傾扉１４の内面の略左側半分を占有する如く配置されているが、上部右側方向を向くように配置してもよい。一方、開閉レバー部９０は、前傾扉１４の内面側の右側部に水平に配置されて、開閉レバー９１の開閉軌跡も含めると、前傾扉１４の内面の略右側半分を占有する如く配置されていて、前傾扉１４の限られた横幅のスペース内で、両者６０、９０を効率的に配置している。
【００３５】
このように、ノズル６０は、前傾扉１４を開放した状態で、前傾扉１４の幅方向に対して非平行状態で、かつ先端部が前傾扉１４の上部側を向くように配置されているので、本実施の形態のように、前傾扉１４の横幅をホース格納部としてのホース格納部Ｃのそれと同程度に縮小した場合でも、図１に示されるように、ホース５のノズル６０側先端部の屈曲半径が小さくならないので、ホース５に無理な負荷がかからず、折れや破損が生じない。また、ノズル６０の先端部が前傾扉１４の上部側を向くように配置されているので、火災時に、操作者はノズル６０を掴みやすく、ノズル６０を取ってホース５を引き出す作業を感覚的に行いやすい。なお、ノズル６０の設置向きとしては、ホース５に無理な負荷をかけない角度、操作者がノズル６０を掴みやすい角度であればよく、本実施の形態の角度に限定されない。
【００３６】
ここで、図１に示されるように、前傾扉１４を閉じた状態では、前傾扉１４の右側部側とホースバケット１２の右側の帯板１２ｂとの間は、ノズル６０からホースバケット１２に至るまでの、ホースバケット１２に収納されていないホース５の経路となるが、前傾扉１４の内面側の右側部に開閉レバー部９０が水平に配置して、開閉レバー部９０の本体１０側への突出を抑制しており、これによって、前傾扉１４を閉じた状態で、ホースバケット１２に収納されないホース５やホースバケット１２の前面に接触することがなく、筐体を薄型化できる。
【００３７】
なお、ノズル６０及び開閉レバー部９０は、上記のような組み合わせ以外でもよく、互いが阻害することなく不都合が生じないようにすることができる配置であればよい。
【００３８】
つぎに、このような消火栓装置１の使用方法について、火災の発生時、ホース５を伸ばしてノズル６０から放水する場合を説明する。
【００３９】
操作者は、まず前傾扉１４を開けるため、ハンドル４３を握り手前に引くことで、前傾扉１４が約９０度手前に倒れるように開放する。この前傾扉１４が開放すると、その開口部からノズル６０と開閉レバー９１が見える。
【００４０】
つぎに、操作者は、ノズル６０を図示しないノズルホルダから取り外す。そして、開閉レバー９１を手前に引くことで、ポンプ１１が起動して、消火栓弁３の一次側まで給水源からの消火水が供給される。同時に、ワイヤ１００で結合する消火栓弁３が開放して、消火水が自動調圧弁２を介してホース５内に流入する。このとき、ノズル６０が前方を向いているので、操作者はノズル６０を掴みやすい。
【００４１】
この状態で、取り外したノズル６０を握りながら、操作者が火災の現場に向うと、ノズル６０に接続されているホース５がホースバケット１２から順次繰り出される。このとき、ホース５の引き出し角度によっては、開閉レバー部９０（特に、開閉レバー９１）と接触することがあるが、開閉レバー部９０の上面を繰り出されるだけで開閉レバー９１自体に絡まることはない。そして、火災の現場に近づき、ノズル６０から消火水を放出して消火活動を行うことができる。
【００４２】
このように使用したホース５を収容する際には、上側扉１３を約９０度手前に跳ね上げるように開放することにより、開口部が大きくなって、ホースバケット１２への収容作業が行いやすくなる。
【００４３】
以上説明したように、本実施の形態１に係わる消火栓装置１は、前面に前傾扉１４を備える筐体内に、ノズル６０を具備するホース５と、該ノズル６０へ消火水の供給を開始するための消火栓弁３と、該消火栓弁３の開閉、および該消火栓弁３に消火水を供給するためのポンプ１１の起動を行うための遠隔起動手段７０を備える消火栓装置１において、前記遠隔起動手段７０は、前記消火栓弁３近傍に設けられ、前記消火栓弁３の開閉を行うための弁体と連動する連動プーリ８２を有する受動部８０と、前記前傾扉１４の内面に設けられ、開閉レバー９１と、該開閉レバー９１の操作に連動する対向プーリ９２と、を有する開閉レバー部９０と、前記対向プーリ９２と前記連動プーリ８２との間に張設され、前記対向プーリ８２の動きに前記連動プーリ９２を連動させることによって、前記開閉レバー９１の操作に前記消火栓弁３の弁体の開閉を連動させるためのワイヤ１００と、ポンプ起動用の信号線１１ａに接続され、前記ポンプ１１の起動を行うためのポンプ起動連動スイッチ１１ｂと、を備え、前記ポンプ起動連動スイッチ１１ｂは、前記連動プーリ８２の動きに連動してオンするように、前記受動部８０側に設けられるものである。開閉レバー部９０を前傾扉１４の内面に設けるようにして操作性を維持しつつ、ポンプ起動連動スイッチ１１ｂを筐体内の受動部８０側に設けるようにして、ポンプ起動用の信号線１１ａを、前傾扉１４という可動部上、および外部に露出する箇所に配設しないようにしたので、断線や短絡などが生じなくなり、火災時に消火栓装置１を確実に起動することができる。
【００４４】
また、前記開閉レバー部９０は、前記前傾扉１４の内面に対して、略平行面に回動するように前記対向プーリ９２を配置するとともに、前記略平行面で操作されるように前記開閉レバー９１を配置したものである。このように前傾扉１４の内面に開閉レバー部９０が水平に配置されるものであるので、火災時にホース５が引き出されたときに、ホース５は、前傾扉１４の内面上、及び開閉レバー部９０の上を這いながら引き出されるので、開閉レバー９１に接触して開閉レバー９１が誤操作したり、開閉レバー部９０（特に、開閉レバー９１）に接触することによってホース５が引き出されなくなるということがなくなるため、従来必要であったレバー保護バーを不要とすることができる。
【００４５】
特に、従来のように開閉レバー部９０側にポンプ起動連動スイッチ１１ｂが設けられていた場合、対向プーリ９２は、ワイヤ１００を張設するための張設溝９２ｂ、ポンプ起動連動スイッチ１１ｂの接点１１ｃをオン、オフさせるための接点溝を互いに干渉しないようにするために、その側面の高さ方向で相違する箇所に設ける必要があり、側面の高さがある程度必要であったが、受動部８０側にポンプ起動連動スイッチ１１ｂを設けるようにしたので、対向プーリ９２は、その側面に、ポンプ起動連動スイッチ１１ｂの接点１１ｃ用の接点溝を設ける必要がなく、ワイヤ１００を張設するための張設溝９２ｂを設けるだけで足りる。そのため、対向プーリ９２の側面の高さを従来よりも低くすることができて、前記した開閉レバー９１の誤操作、ホース５が引き出されないという不具合をより確実に解消することができる。このとき、開閉レバー部９０は、前傾扉１４の内側から突出しないものであると、より好適である。
【符号の説明】
【００４６】
１  消火栓装置、２  自動調圧弁、３  消火栓弁、４  消火水供給配管、５  ホース、７  給水栓、８  消火水供給口、１０ 本体、１１ ポンプ、１１ａ  ポンプ起動用の信号線、１１ｂ  ポンプ起動連動スイッチ、１１ｃ  接点、１２  ホースバケット、１２ａ  棒状体、１２ｂ  帯板、１３  上側扉、１４  前傾扉、１５  配管扉、１７  ホースガイド、２１ 前面パネル、２１Ｃ  前面パネル、２１Ｌ  前面パネル、２１Ｒ  前面パネル、２６  消火器扉、２６Ｓ  消火器を配置するための配置スペース、２８  電機機器取付板、５５  表示灯、５６  非常用発信器、５７  応答ランプ、６０ ノズル、７０  遠隔起動手段、８０  受動部、８２  対向プーリ、８２ａ  接点溝、８２ａ  張設溝、８３  ボックス、９０開閉レバー部、９１  開閉レバー、９２  連動プーリ、９２ｂ  張設溝、９３  ボックス、１００  ワイヤ、１０１  チューブ、Ｃ  ホース格納部、Ｌ  消火器格納部、Ｒ  配管系統格納部。
【図１】
0005595308.tif 000002
【図２】
0005595308.tif 000003
【図３】
0005595308.tif 000004
【図４】
0005595308.tif 000005